(57)【要約】【課題】  副次的な工程について、その入力ミスをなくし、適切な管理を行うことのできるプロジェクト管理装置を提供する。    【解決手段】  工程予定取得手段２は、一連の主工程の開始予定日、終了予定日などをユーザ入力などに基づいて取得する。副工程取得手段４は、主工程に対応する副工程を記録部８から取得するとともに、副工程着手期間情報６に基づいて、その開始日を算出する。表示手段１０は、一連の主工程の開始予定日、終了予定日を時系列として表示する。さらに、副工程の開始日を当該時系列上に表示するとともに、当該副工程と対応する主工程の開始予定日（または終了予定日）との間に、関連づけのための線を表示する。主工程に従属する副工程の入力忘れを防ぐとともに、その適切な開始時期を適切に管理することができる。【選択図】  図１
2015194889.tif 000002
【特許請求の範囲】
【請求項１】
前工程の終了を前提として次工程の開始がなされる一連の主工程と、前工程の終了を前提とせず、あるいは当該工程の終了が次工程開始の前提とならない副工程とを有するプロジェクトを管理するための装置であって、
各主工程に対応付けて、当該工程の開始予定日または終了予定日を起点として、その前後に必要な副工程の開始日までの期間を示す副工程着手期間情報を記録するための記録部と、
少なくとも主工程の開始予定日および終了予定日を取得する工程予定取得手段と、
前記副工程着手期間情報を参照して、当該主工程に対して必要な副工程の開始日を取得する副工程取得手段と、
一連の主工程の開始予定日、終了予定日を時系列として表示し、前記副工程の開始日を当該時系列上に表示するとともに、当該副工程が対応する主工程の開始予定日または終了予定日に関連していることを示す関連表示を表示部に表示する表示手段と、
を備えたプロジェクト管理装置。
【請求項２】
前工程の終了を前提として次工程の開始がなされる一連の主工程と、前工程の終了を前提とせず、あるいは当該工程の終了が次工程開始の前提とならない副工程とを有するプロジェクトを管理するための装置を、コンピュータによって実現するためのプロジェクト管理プログラムであって、当該コンピュータを
少なくとも主工程の開始予定日および終了予定日を取得する工程予定取得手段と、
各主工程に対応付けて、当該工程の開始予定日または終了予定日を起点として、その前後に必要な副工程の開始日までの期間を示す前記副工程着手期間情報を記録部から読み出して、当該主工程に対して必要な副工程の開始日を取得する副工程取得手段と、
一連の主工程の開始予定日、終了予定日を時系列として表示し、前記副工程の開始日を当該時系列上に表示するとともに、当該副工程が対応する主工程の開始予定日または終了予定日に関連していることを示す関連表示を表示部に表示する表示手段として機能させるためのプロジェクト管理プログラム。
【請求項３】
請求項１の装置または請求項２のプログラムにおいて、
前記主工程は、資材を用いて行う工事であり、
前記副工程は、資材の発注または工事の検査であることを特徴とする装置またはプログラム。
【請求項４】
前工程の終了を前提として次工程の開始がなされる一連の主工程と、前工程の終了を前提とせず、あるいは当該工程の終了が次工程開始の前提とならない副工程とを有するプロジェクトの管理をコンピュータによって行う方法であって、
各主工程に対応付けて、当該工程の開始予定日または終了予定日を起点として、その前後に必要な副工程の開始日までの期間を示す副工程着手期間情報を記録部から取得し、
少なくとも主工程の開始予定日および終了予定日を取得し、
前記副工程着手期間情報を参照して、当該主工程に対して必要な副工程の開始日を取得し、
一連の主工程の開始予定日、終了予定日を時系列として表示し、前記副工程の開始日を当該時系列上に表示するとともに、当該副工程が対応する主工程の開始予定日または終了予定日に関連していることを示す関連表示を表示部に表示することを特徴とするプロジェクト管理方法。
【発明の詳細な説明】
【技術分野】
【０００１】
この発明はプロジェクト管理装置に関し、特にその管理精度の向上に関するものである。
【背景技術】
【０００２】
建築工事などのプロジェクトを管理するシステムが提案され販売されている。たとえば、特許文献１には、複数の工程を時系列に自動的に割り付ける装置が開示されている。この文献では、建築工事の際に予め柱や床材などを向上でカットしておくプレカット工程を例として説明している。すなわち、プレカット工程の処理能力を考慮して、当該工程に過大な負荷がかからず、また、当該工程の稼働率が著しく低下しないように、コンピュータによって自動的に割付を行うようにしている。
【先行技術文献】
【特許文献】
【０００３】
【特許文献１】特開２００１−３１１３１０
【発明の概要】
【発明が解決しようとする課題】
【０００４】
しかしながら、上記の従来技術においては、工程の稼働効率を高めることができるものの、工程に必要な資材をいつ発注すればよいか、工程の品質を管理するため検査をいつ行えばよいかなどを管理することはできなかった。つまり、主たる工程については、適切な管理を行うことが可能であるものの、資材発注や品質検査などの副次的な工程については、適切な管理を行うことはできなかった。加えて、資材発注や品質検査などの入力を失念するという事態すら考えられる。
【０００５】
この発明は、上記の問題点を解決して、副次的な工程についても、その入力ミスをなくし、適切な管理を行うことのできるプロジェクト管理装置を提供することを目的とする。
【課題を解決するための手段】
【０００６】
(1)(2)この発明に係るプロジェクト管理装置は、前工程の終了を前提として次工程の開始がなされる一連の主工程と、前工程の終了を前提とせず、あるいは当該工程の終了が次工程開始の前提とならない副工程とを有するプロジェクトを管理するための装置であって、各主工程に対応付けて、当該工程の開始予定日または終了予定日を起点として、その前後に必要な副工程の開始日までの期間を示す副工程着手期間情報を記録するための記録部と、少なくとも主工程の開始予定日および終了予定日を取得する工程予定取得手段と、前記副工程着手期間情報を参照して、当該主工程に対して必要な副工程の開始日を取得する副工程取得手段と、一連の主工程の開始予定日、終了予定日を時系列として表示し、前記副工程の開始日を当該時系列上に表示するとともに、当該副工程が対応する主工程の開始予定日または終了予定日に関連していることを示す関連表示を表示部に表示する表示手段とを備えている。
【０００７】
したがって、プロジェクト管理において、必要な副工程の入力漏れを防ぐことができる。
【０００８】
(3)この発明に係るプロジェクト管理装置は、主工程が、資材を用いて行う工事であり、副工程が、資材の発注または工事の検査であることを特徴としている。
【０００９】
したがって、副工程である資材の発注や検査の入力漏れを防ぐことができる。
【００１０】
(4)この発明に係るプロジェクト管理方法は、前工程の終了を前提として次工程の開始がなされる一連の主工程と、前工程の終了を前提とせず、あるいは当該工程の終了が次工程開始の前提とならない副工程とを有するプロジェクトの管理をコンピュータによって行う方法であって、各主工程に対応付けて、当該工程の開始予定日または終了予定日を起点として、その前後に必要な副工程の開始日までの期間を示す副工程着手期間情報を記録部から取得し、少なくとも主工程の開始予定日および終了予定日を取得し、前記副工程着手期間情報を参照して、当該主工程に対して必要な副工程の開始日を取得し、一連の主工程の開始予定日、終了予定日を時系列として表示し、前記副工程の開始日を当該時系列上に表示するとともに、当該副工程が対応する主工程の開始予定日または終了予定日に関連していることを示す関連表示を表示部に表示することを特徴としている。
【００１１】
したがって、プロジェクト管理において、必要な副工程の入力漏れを防ぐことができる。
【００１２】
この発明において、「工程予定取得手段」は、実施形態においては、ステップＳ２がこれに対応する。
【００１３】
「副工程取得手段」は、実施形態においては、ステップＳ３、Ｓ４がこれに対応する。
【００１４】
「表示手段」は、実施形態においては、ステップＳ２、Ｓ５がこれに対応する。
【００１５】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００１６】
【図１】この発明の一実施形態によるプロジェクト管理装置の機能構成を示す図である。
【図２】プロジェクト管理装置のハードウエア構成を示す図である。
【図３】プロジェクト管理プログラムのフローチャートである。
【図４】工程表の表示例である。
【図５】工程表における作業の入力を説明するための図である。
【図６】工程表における作業の入力を説明するための図である。
【図７】工程表における副工程の表示例を示す図である。
【図８】マスタテーブルを示す図である。
【図９】生成された作業データを示す図である。
【図１０】他の実施形態による主工程と副工程との対応づけを示すためのデータ例である。
【発明を実施するための形態】
【００１７】
１．全体構成
図１に、この発明の一実施形態によるプロジェクト管理装置の全体構成を示す。この実施形態においては、主工程と副工程を有するプロジェクトの管理を行う場合について説明する。この実施形態において、主工程とは、プロジェクトを構成する主たる工程であって、前工程の終了が次工程の開始の前提となっているような一連の工程をいうものである。また、この実施形態において、副工程とは、主工程に従属する工程をいうものであり、主工程において用いる資材の発注や主工程の検査などの工程である。
【００１８】
記録部８には、各主工程に対応付けて、副工程着手期間情報６が記録されている。なお、副工程着手期間情報６とは、対応する主工程の開始日または終了日を起点として、当該主工程の前提となる副工程あるいは当該主工程を前提とする副工程を着手すべき日までの期間を示す情報である。たとえば、鉄骨発注（副工程）は、鉄骨組立（主工程）の開始日より５日前に行うという情報である。
【００１９】
工程予定取得手段２は、一連の主工程の開始予定日、終了予定日などをユーザ入力などに基づいて取得する。副工程取得手段４は、主工程に対応する副工程を記録部８から取得するとともに、副工程着手期間情報６に基づいて、その開始日を算出する。表示手段１０は、一連の主工程の開始予定日、終了予定日を時系列として表示する。さらに、副工程の開始日を当該時系列上に表示するとともに、当該副工程と対応する主工程の開始予定日（または終了予定日）との間に、関連づけのための線を表示する。
【００２０】
以上のようにして、主工程に従属する副工程の入力忘れを防ぐとともに、その適切な開始時期を適切に管理することができる。
【００２１】
２．ハードウエア構成
図２に、この発明の一実施形態によるプロジェクト管理装置のハードウエア構成を示す。ＣＰＵ３０には、メモリ３２、ディスプレイ３４、ハードディスク３６、ＤＶＤ−ＲＯＭドライブ３８、マウス／キーボード４０が接続されている。ハードディスク３６には、オペレーティングシステム（WINDOWS（商標）など）４４、プロジェクト管理プログラム４６、副工程着手期間情報４８が記録されている。プロジェクト管理プログラム４６は、オペレーティングシステム４４と協働してその機能を発揮するものである。オペレーティングシステム４４、プロジェクト管理プログラム４６は、ＤＶＤ−ＲＯＭ４２に記録されていたものを、ハードディスク３６にインストールしたものである。
【００２２】
３．処理の説明
図３に、プロジェクト管理プログラム４６のフローチャートを示す。まず、ＣＰＵ３０は、プロジェクトの工程表をディスプレイ３４に表示する（ステップＳ１）。図４に、表示された工程表の例を示す。上部に日付が表示され、その下に、工程計画入力欄が用意されている。ユーザは、マウス／キーボード４０を操作して、工程計画を入力する。
【００２３】
ここでは、基礎コンクリートに関する工程を入力する場合を例として説明する。まず、基礎型枠組立の計画を入力する（ステップＳ２）。基礎型枠組立は、基礎コンクリートを流し込むための型枠を組み立てる作業（主工程）である。ユーザは、マウス／キーボード４０を操作して、工程表の５日から７日の間に線を引く。これを受けて、ＣＰＵ３０は、図５に示すように、作業名入力のウインドウ６２を表示する。
【００２４】
この作業名入力ウインドウ６２においては、ハードディスク３６にマスタとして記録されている作業名が一覧として表示されている。したがって、ユーザは、この一覧の中から所望の作業名を選択することで入力を行う。図８に示すように、マスタには、各作業について、どのような資源が必要であるか、対応する副作業があるかどうかが記録されている。
【００２５】
ここでは、基礎型枠組立を選択したものとする。これにより、ＣＰＵ３０は、図６に示すように、「基礎型枠組立」の文字を線６０の上に表示するとともに、資源、メモなどを入力するためのウインドウ６４を表示する。なお、資源の項目には、図８のマスタに記録されている木材が自動的に入力される。ユーザは、メモなどを入力する必要があれば、このウインドウ６４において入力を行う。この結果、図９Ａに示すような作業データが生成されて記録される。
【００２６】
さらに、ＣＰＵ３０は、図８のマスタを参照して、基礎型枠組立の作業（主工程）について、対応する副作業（副工程）があるかどうかを判断する（ステップＳ３）。ここでは、対応する副作業が記録されていないので、ステップＳ６に進む。
【００２７】
ステップＳ６においては、ＣＰＵ３０は、全ての入力が終了したかどうかを判断する。ここでは、まだ入力が終了していないので、ステップＳ２以下を再び実行する。
【００２８】
ユーザは、続いて、図７に示すように、基礎コンクリート作業を入力したとする（ステップＳ２）。ＣＰＵ３０は、図８のマスタを参照し、基礎コンクリートに対応する副作業があるかどうかを判断する（ステップＳ３）。ここでは、副作業として「コンクリート発注（開始−４日）」と記述されている。これは、基礎コンクリート作業に対して、コンクリート発注という副作業があり、その着手日が基礎コンクリート作業の開始前４日であることを示している。
【００２９】
ＣＰＵ３０は、この情報に基づいて、基礎コンクリート作業の開始日である７日から４日を減算し、３日を得る（ステップＳ４）。さらに、工程表において、７月３日に、コンクリート発注を表示する（ステップＳ５）。図７に、表示されたコンクリート発注７０を示す。ＣＰＵ３０は、このコンクリート発注７０が、基礎コンクリートの開始７２に対応付けられていることを示すため、矢印７４を表示する。
【００３０】
ＣＰＵ３０は、さらに、図８のマスタを参照し、他の副作業があれば取得する。ここでは、コンクリート強度検査（終了＋１４日）が記録されているので、これを取得する。これは、基礎コンクリート作業に対して、コンクリート強度検査という副作業があり、その着手日が基礎コンクリート作業の終了後１４日であることを示している。
【００３１】
ＣＰＵ３０は、この情報に基づいて、基礎コンクリート作業の終了日である８日に１４日を加算し、２２日を得る（ステップＳ４）。さらに、工程表において、７月２２日に、コンクリート強度検査を表示する（ステップＳ５）。図７に、表示されたコンクリート強度検査７６を示す。ＣＰＵ３０は、このコンクリート強度検査７６が、基礎コンクリートの終了７８に対応付けられていることを示すため、矢印８０を表示する。
【００３２】
以上のようにして、図９Ｂに示すような作業データが生成される。このようにして、主作業に対する副作業を自動的に、必要日数を考慮して入力することができる。このため、計画の段階において、資材の発注を忘れたり、行うべき検査を忘れたりすることを防止することができる。
【００３３】
４．その他の実施形態
(1)上記実施形態では、図８に示すように、主たる作業（主工程）に対して直接的に副作業（副工程）を記録するようにしている。しかし、資源に対して、副作業を定義して記録するようにしてもよい。たとえば、図１０に示すように、資材に関連づけて副作業を記述するようにしてもよい。この場合、ある作業中に資源として「コンクリート」が用いられていれば、上記実施形態と同様にして、自動的に副作業を記録する。
【００３４】
(2)上記実施形態では、主作業に対応する副作業として、素材の発注、作業の検査を例として説明している。しかし、主作業に関連する作業であれば副作業として定義することができる。たとえば、作業前（後）の写真の撮影、養生などを副作業とすることができる。
【００３５】
(3)上記実施形態では、主作業の開始または終了を起点として副作業の着手時期を記録するようにしている。しかし、主作業の中間時点（中間完成時）を起点として副作業の着手時期を記録するようにしてもよい。また、副作業の着手時期に代えて、完了時期を記録するようにしてもよい。
【００３６】
(4)上記実施形態では、各作業に対応する副作業名をマスタとして予め記録するようにしている。しかし、ユーザが主作業に対応する副作業とその着手時期を入力して記録するようにしてもよい。
【００３７】
(5)上記実施形態では、１台のＰＣによって装置を構成している。しかし、プロジェクト管理プログラムをサーバ装置に記録し、インターネットや社内ＬＡＮなどを介して、端末装置からこのプログラムを使用するようにしてもよい。この場合、端末装置は、表示およびユーザ入力の受け付けを行うことになる。
【図１】
2015194889.tif 000003
【図２】
2015194889.tif 000004
【図３】
2015194889.tif 000005
【図４】
2015194889.tif 000006
【図５】
2015194889.tif 000007
【図６】
2015194889.tif 000008
【図７】
2015194889.tif 000009
【図８】
2015194889.tif 000010
【図９】
2015194889.tif 000011
【図１０】
2015194889.tif 000012
【手続補正書】
【提出日】平成26年4月4日(2014.4.4)
【手続補正１】
【補正対象書類名】明細書
【補正対象項目名】０００２
【補正方法】変更
【補正の内容】
【０００２】
建築工事などのプロジェクトを管理するシステムが提案され販売されている。たとえば、特許文献１には、複数の工程を時系列に自動的に割り付ける装置が開示されている。この文献では、建築工事の際に予め柱や床材などを工場でカットしておくプレカット工程を例として説明している。すなわち、プレカット工程の処理能力を考慮して、当該工程に過大な負荷がかからず、また、当該工程の稼働率が著しく低下しないように、コンピュータによって自動的に割付を行うようにしている。
【手続補正２】
【補正対象書類名】図面
【補正対象項目名】図５
【補正方法】変更
【補正の内容】
【図５】
2015194889.tif 000013
【手続補正３】
【補正対象書類名】図面
【補正対象項目名】図６
【補正方法】変更
【補正の内容】
【図６】
2015194889.tif 000014
【手続補正４】
【補正対象書類名】図面
【補正対象項目名】図７
【補正方法】変更
【補正の内容】
【図７】
2015194889.tif 000015